(57)【要約】【課題】  有機ＥＬ素子などの表示素子の温度変化や経時変化に拘わらず、一定の発光輝度を得ることが出来る表示装置を提供する。【解決手段】  本発明に係る表示装置は、複数の画素を配列して構成される有機ＥＬディスプレイ３、外部から供給される映像信号に応じたデータ電圧或いはデータ電流をディスプレイ３の各画素に供給する駆動ＩＣ２、駆動ＩＣ２に映像信号を供給する比較／演算部１、及びディスプレイ３の複数の画素に流れた電流の総量を測定する電流モニタ部４を具えている。比較／演算部１は、ディスプレイ３の各画素に対する映像信号の値からディスプレイ３の各画素に流れるべき電流の合計値を導出し、その導出値と電流モニタ部４から得られた測定値とに基づいて、ディスプレイ３の各画素に対する映像信号を補正する。【選択図】      図１
2005107059.tif 000002
【特許請求の範囲】
【請求項１】
複数の画素を配列して構成される表示パネルと、外部から供給される映像信号に応じたデータ電圧或いはデータ電流を表示パネルの各画素に供給する制御装置とを具え、表示パネルの各画素には、電流の供給を受けて発光する表示素子と、制御装置からのデータ電圧或いはデータ電流に応じた駆動電流を表示素子に供給する駆動手段とが配備されている表示装置において、前記制御装置は、
表示パネルの各画素に対する映像信号の値から表示パネルの各画素に流れるべき電流の合計値を導出する導出手段と、
表示パネルの複数の画素に流れた電流の総量を測定する電流測定手段と、
導出手段から得られた導出値と電流測定手段から得られた測定値とに基づいて、表示パネルの各画素に対する映像信号を補正する演算処理手段
とを具えていることを特徴とする表示装置。
【請求項２】
前記導出手段は、表示パネルの各画素に対する映像信号の値を積算する積算手段と、積算手段から得られた積算値を表示パネルの各画素に流れるべき電流の合計値に換算する換算手段とを具え、前記演算処理手段は、換算手段から得られた換算値と電流測定手段から得られた測定値とに基づいて映像信号を補正する請求項１に記載の表示装置。
【請求項３】
前記演算処理手段は、前記換算値と前記測定値とに基づいて補正係数を算出する補正係数算出手段と、算出された補正係数を用いて映像信号を補正する補正手段とを具えている請求項２に記載の表示装置。
【請求項４】
前記演算処理手段の補正手段は、画素の位置に応じて前記算出された補正係数を変化させる請求項３に記載の表示装置。
【請求項５】
表示パネルの表示領域を複数の領域に分割し、領域毎に補正係数を算出することが可能であって、前記制御装置は、これら複数の領域を順次、補正係数算出領域として、該領域以外の領域の画素に対する映像信号の値を該画素の表示素子に供給される駆動電流の大きさが零となる所定値に設定する動作を実行する映像信号設定手段を具えており、映像信号設定手段が設定動作を実行したときに、積算手段は前記積算動作を実行すると共に電流測定手段は前記測定動作を実行し、演算処理手段の補正係数算出手段は、各領域についての補正係数を算出し、補正手段は、各領域についての補正係数を用いて各領域の画素に対する映像信号を補正する請求項３に記載の表示装置。
【請求項６】
３原色の色毎に補正係数を算出することが可能であって、前記映像信号設定手段は、３原色を順次、補正係数算出色として、前記補正係数算出領域の画素の内、該色以外の２色の画素に対する映像信号の値を前記所定値に設定し、前記演算処理手段の補正係数算出手段は、各色についての補正係数を算出し、補正手段は、各色についての補正係数を用いて各色の画素に対する映像信号を補正する請求項５に記載の表示装置。
【請求項７】
前記制御装置は更に、色毎に映像信号の積算値と電流の合計値の関係が規定されている関係手段を具えており、前記換算手段は、関係手段に規定されている関係の内、補正係数算出色についての関係に従って、映像信号の積算値を電流の合計値に換算する請求項６に記載の表示装置。
【請求項８】
表示パネルの表示領域を複数の領域に分割し、領域毎に補正係数を算出することが可能であって、前記制御装置は、これら複数の領域を順次、補正係数算出領域として、該領域の画素に対する映像信号の値を該画素の表示素子に供給される駆動電流の大きさが零或いは任意の所定値となる値に設定する動作を実行する映像信号設定手段を具えており、映像信号設定手段が設定動作を実行したとき及び設定動作を停止しているときに、積算手段は前記積算動作を実行すると共に電流測定手段は前記測定動作を実行し、前記演算処理手段は、更に、
映像信号設定手段が設定動作を停止しているときに得られた換算値から映像信号設定手段が設定動作を実行したときに得られた換算値を減算する第１減算手段と、
映像信号設定手段が設定動作を停止しているときに得られた測定値から映像信号設定手段が設定動作を実行したときに得られた測定値を減算する第２減算手段
とを具え、補正係数算出手段は、第１減算手段の減算結果と第２減算手段の減算結果とに基づいて各領域についての補正係数を算出し、補正手段は、各領域についての補正係数を用いて各領域の画素に対する映像信号を補正する請求項３に記載の表示装置。
【請求項９】
３原色の色毎に補正係数を算出することが可能であって、前記映像信号設定手段は、３原色を順次、補正係数算出色として、前記補正係数算出領域の画素の内、該色の画素に対する映像信号の値を該画素の表示素子に供給される駆動電流の大きさが零或いは任意の所定値となる値に設定し、前記演算処理手段の補正係数算出手段は、各色についての補正係数を算出し、補正手段は、各色についての補正係数を用いて各色の画素に対する映像信号を補正する請求項８に記載の表示装置。
【請求項１０】
前記制御装置は、色毎に映像信号の積算値と電流の合計値の関係が規定されている関係手段を具えており、前記積算手段は、色毎に映像信号の値を積算し、前記換算手段は、色毎に、関係手段に規定されている関係に従って映像信号の積算値を電流の合計値に換算する請求項９に記載の表示装置。
【請求項１１】
前記映像信号設定手段は、映像信号のフレーム周期よりも長い周期で前記設定動作を実行する請求項５乃至請求項１０の何れかに記載の表示装置。
【請求項１２】
複数の画素を配列して構成される表示パネルと、外部から供給される映像信号に応じたデータ電圧或いはデータ電流を表示パネルの各画素に供給する制御装置とを具え、表示パネルの各画素には、電流の供給を受けて発光する表示素子と、制御装置からのデータ電圧或いはデータ電流に応じた駆動電流を表示素子に供給する駆動手段とが配備されている表示装置において、前記制御装置は、
表示パネルの各画素に対する映像信号の値から表示パネルの各画素に流れるべき電流の合計値を導出する導出手段と、
表示パネルの複数の画素に流れた電流の総量を測定する電流測定手段と、
導出手段から得られた導出値と電流測定手段から得られた測定値とに基づき制御信号を作成して出力する制御手段と、
前記制御手段から出力された制御信号に応じて映像信号とデータ電圧或いはデータ電流の関係を変更し、変更後の関係に従って、外部からの映像信号に応じたデータ電圧或いはデータ電流を表示パネルの各画素に供給するデータ電圧／電流供給手段
とを具えていることを特徴とする表示装置。
【請求項１３】
前記導出手段は、表示パネルの各画素に対する映像信号の値を積算する積算手段と、積算手段から得られた積算値を表示パネルの各画素に流れるべき電流の合計値に換算する換算手段とを具え、前記制御手段は、換算手段から得られた換算値と電流測定手段から得られた測定値とに基づいて制御信号を作成する請求項１２に記載の表示装置。
【請求項１４】
３原色の色毎に映像信号とデータ電圧或いはデータ電流の関係を変更することが可能であって、前記制御装置は、３原色を順次、関係変更色として、該色以外の２色の画素に対する映像信号の値を該画素の表示素子に供給される駆動電流の大きさが零となる所定値に設定する動作を実行する映像信号設定手段を具えており、映像信号設定手段が設定動作を実行したときに、積算手段は前記積算動作を実行すると共に電流測定手段は前記測定動作を実行し、前記制御手段は各色についての制御信号を作成し、データ電圧／電流供給手段は、各色についての制御信号に応じて色毎に前記関係を変更し、変更後の関係に従って、映像信号に応じたデータ電圧或いはデータ電流を各色の画素に供給する請求項１３に記載の表示装置。
【請求項１５】
３原色の色毎に映像信号とデータ電圧或いはデータ電流の関係を変更することが可能であって、前記制御装置は、３原色を順次、関係変更色として、該色の画素に対する映像信号の値を該画素の表示素子に供給される駆動電流の大きさが零或いは任意の所定値となる値に設定する動作を実行する映像信号設定手段を具えており、映像信号設定手段が設定動作を実行したとき及び設定動作を停止しているときに、積算手段は前記積算動作を実行すると共に電流測定手段は前記測定動作を実行し、前記制御手段は、
映像信号設定手段が設定動作を停止しているときに得られた換算値から映像信号設定手段が設定動作を実行したときに得られた換算値を減算する第１減算手段と、
映像信号設定手段が設定動作を停止しているときに得られた測定値から映像信号設定手段が設定動作を実行したときに得られた測定値を減算する第２減算手段
とを具え、前記制御手段は、第１減算手段の減算結果と第２減算手段の減算結果とに基づいて各色についての制御信号を作成し、データ電圧／電流供給手段は、各色についての制御信号に応じて色毎に前記関係を変更し、変更後の関係に従って、映像信号に応じたデータ電圧或いはデータ電流を各色の画素に供給する請求項１３に記載の表示装置。
【請求項１６】
前記映像信号設定手段は、映像信号のフレーム周期よりも長い周期で前記設定動作を実行する請求項１４又は請求項１５に記載の表示装置。
【発明の詳細な説明】
【技術分野】
【０００１】
本発明は、有機エレクトロルミネッセンス表示装置の如く、複数の画素を配列して構成される表示パネルを具えた表示装置に関するものである。
【背景技術】
【０００２】
近年、有機エレクトロルミネッセンスディスプレイ(以下、有機ＥＬディスプレイという)の開発が進んでおり、例えば携帯電話機に有機ＥＬディスプレイを採用することが検討されている。
有機ＥＬディスプレイの駆動方式としては、走査電極とデータ電極を用いて時分割駆動するパッシブマトリクス駆動型と、各画素の発光を１垂直走査線期間に亘って維持するアクティブマトリクス駆動型とが知られている。
又、アクティブマトリクス駆動型有機ＥＬ表示装置の駆動方式としては、有機ＥＬ素子にデータ電圧に応じた大きさの電流を供給して、該有機ＥＬ素子をデータ電圧に応じた明るさで点灯させるアナログ駆動型表示装置と、有機ＥＬ素子にデータ電圧に応じたデューティ比を有するパルス電流を供給することによって多階調を表現するデジタル駆動型表示装置とが知られている(例えば特許文献１参照)。
【０００３】
出願人は、図１５に示す回路構成の画素(31)を配列してなる表示パネルを具えたデジタル駆動型有機ＥＬ表示装置を提案している(特許文献２参照)。
該有機ＥＬ表示装置において、各画素(31)は、有機ＥＬ素子(30)と、ゲートに対するオン／オフ制御信号の入力に応じて有機ＥＬ素子(30)に対する通電をオン／オフする駆動用トランジスタＴＲ２と、走査ドライバーからの走査電圧がゲートに印加されて導通状態となる書込み用トランジスタＴＲ１と、書込み用トランジスタＴＲ１が導通状態となることによってデータドライバーからのデータ電圧が印加される容量素子Ｃと、ランプ電圧発生回路から供給されるランプ電圧と容量素子Ｃの出力電圧とが正負一対の入力端子に供給されて、両電圧を比較するコンパレータ(32)とを具え、コンパレータ(32)の出力信号が駆動用トランジスタＴＲ２のゲートへ供給される。
【０００４】
駆動用トランジスタＴＲ２のソースには電流供給ライン(33)が接続され、駆動用トランジスタＴＲ２のドレインは有機ＥＬ素子(30)に接続されている。書込み用トランジスタＴＲ１の一方の電極(例えばソース)には前記データドライバーが接続され、書込み用トランジスタＴＲ１の他方の電極(例えばドレイン)は、容量素子Ｃの一端に接続されると共に、コンパレータ(32)の反転入力端子に接続されている。コンパレータ(32)の非反転入力端子には前記ランプ電圧発生回路の出力端子が接続されている。
【０００５】
上記有機ＥＬ表示装置においては、図１６(ａ)に示す様に、１フィールド期間が、前半の走査期間と後半の発光期間とに分割される。
走査期間には、各水平ラインについて、各画素(31)を構成する書込み用トランジスタＴＲ１に走査ドライバーからの走査電圧が印加されて、書込み用トランジスタＴＲ１が導通状態となり、これによって、容量素子Ｃには、データドライバーからのデータ電圧が印加され、該電圧が電荷として蓄積される。この結果、有機ＥＬ表示装置を構成する全ての画素に対して、１フィールド分のデータが設定されることになる。
【０００６】
ランプ電圧発生回路は、図１６(ｂ)に示す如く１フィールド期間毎に、前半の走査期間ではハイの電圧値を維持し、後半の発光期間では、ローの電圧値からハイの電圧値まで直線的に変化するランプ電圧を発生する。
前半の走査期間に、ランプ電圧発生回路からのハイの電圧がコンパレータ(32)の非反転入力端子に印加されることによって、コンパレータ(32)の出力は、反転入力端子への入力電圧に拘わらず図１６(ｃ)に示す如く常にハイとなる。
又、後半の発光期間にランプ電圧発生回路からのランプ電圧がコンパレータ(32)の非反転入力端子に印加されると同時に、容量素子Ｃの出力電圧(データ電圧)がコンパレータ(32)の反転入力端子に印加されることによって、コンパレータ(32)の出力は、図１６(ｃ)に示す如く両電圧の比較結果に応じてロー及びハイの２つの値をとる。即ち、ランプ電圧がデータ電圧を下回っている期間はコンパレータの出力がローとなり、ランプ電圧がデータ電圧を上回っている期間はコンパレータの出力がハイとなる。ここで、コンパレータの出力がローとなる期間の長さは、データ電圧の大きさに比例することになる。
【０００７】
この様にして、コンパレータ(32)の出力がデータ電圧の大きさに比例する期間だけローとなることによって、該期間だけ駆動用トランジスタＴＲ２がオンとなり、有機ＥＬ素子(30)への通電がオンとなる。
この結果、各画素(31)の有機ＥＬ素子(30)は、１フィールド期間内で、各画素(31)に対するデータ電圧の大きさに比例する期間だけ発光することになり、これによって多階調の表現が実現される。
【特許文献１】特開平１０−３１２１７３号公報
【特許文献２】特願２００２−０９５４２５
【特許文献３】特開２００２−３１１８９８号公報
【発明の開示】
【発明が解決しようとする課題】
【０００８】
しかしながら、上記有機ＥＬ表示装置においては、図１７に示す如く、有機ＥＬ素子の温度変化や経時変化によって有機ＥＬ特性がシフトし、この結果、動作点が変化して、発光輝度が変化する問題があった。即ち、有機ＥＬ素子の温度変化や経時変化によって有機ＥＬ特性が右側にシフトした場合には、有機ＥＬ素子に流れる電流は図示の如く低下することとなって、発光輝度が低下することになる。これに対し、有機ＥＬ特性が左側にシフトした場合には、有機ＥＬ素子に流れる電流は図示の如く上昇することとなって、発光輝度が上昇することになる。
尚、一定の発光輝度を得るために、画素部全体の発光素子に流れる駆動電流がビデオ信号のデータから算出された基準値となるように画素部に対する電圧を補正する発光装置が提案されている(特許文献３参照)。
本発明の目的は、有機ＥＬ素子などの表示素子の温度変化や経時変化に拘わらず、一定の発光輝度を得ることが出来る表示装置を提供することである。
【課題を解決するための手段】
【０００９】
本発明に係る第１の表示装置は、複数の画素を配列して構成される表示パネルと、外部から供給される映像信号に応じたデータ電圧或いはデータ電流を表示パネルの各画素に供給する制御装置とを具え、表示パネルの各画素には、電流の供給を受けて発光する表示素子と、制御装置からのデータ電圧或いはデータ電流に応じた駆動電流を表示素子に供給する駆動手段とが配備されている。そして、前記制御装置は、
表示パネルの各画素に対する映像信号の値から表示パネルの各画素に流れるべき電流の合計値を導出する導出手段と、
表示パネルの複数の画素に流れた電流の総量を測定する電流測定手段と、
導出手段から得られた導出値と電流測定手段から得られた測定値とに基づいて、表示パネルの各画素に対する映像信号を補正する演算処理手段
とを具えている。
【００１０】
上記本発明に係る第１の表示装置においては、演算処理手段によって、各画素に対する映像信号に補正が施される。
ここで、表示素子の温度変化や経時変化による電流変化量は、導出手段によって映像信号の値から理論的に導出される電流の合計値と電流測定手段によって実際に測定される電流の総量の差として把握することが出来る。従って、映像信号は、演算処理手段によって、温度変化や経時変化に応じた補正が施されることになる。
この様にして、温度変化や経時変化に応じて各画素に対する映像信号が補正され、補正された映像信号に応じたデータ電圧或いはデータ電流が各画素に供給されて、該データ電圧或いはデータ電流に応じた駆動電流が表示素子に供給される。この結果、表示素子は、温度変化や経時変化に拘わらず、一定の輝度で発光することになる。
【００１１】
具体的には、前記導出手段は、表示パネルの各画素に対する映像信号の値を積算する積算手段と、積算手段から得られた積算値を表示パネルの各画素に流れるべき電流の合計値に換算する換算手段とを具え、前記演算処理手段は、換算手段から得られた換算値と電流測定手段から得られた測定値とに基づいて映像信号を補正する。
又、前記演算処理手段は、前記換算値と前記測定値とに基づいて補正係数を算出する補正係数算出手段と、算出された補正係数を用いて映像信号を補正する補正手段とを具えている。
【００１２】
又、具体的には、前記演算処理手段の補正手段は、画素の位置に応じて前記算出された補正係数を変化させる。
【００１３】
表示パネルの表示領域の中央部では、外周部に比べて表示素子の温度が上昇しやすく、表示素子の経時劣化も速い。従って、中央部での表示素子の温度変化や経時変化による電流変化量は、外周部に比べて多くなる。そこで、補正手段は、画素の位置に応じて補正係数を変化させることによって補正量を変化させる。
上記具体的構成によれば、画素の位置に拘わらず、温度変化や経時変化に応じた適切な補正を映像信号に施すことが出来る。
【００１４】
他の具体的構成においては、表示パネルの表示領域を複数の領域に分割し、領域毎に補正係数を算出することが可能であって、前記制御装置は、これら複数の領域を順次、補正係数算出領域として、該領域以外の領域の画素に対する映像信号の値を該画素の表示素子に供給される駆動電流の大きさが零となる所定値に設定する動作を実行する映像信号設定手段を具えており、映像信号設定手段が設定動作を実行したときに、積算手段は前記積算動作を実行すると共に電流測定手段は前記測定動作を実行する。そして、演算処理手段の補正係数算出手段は、各領域についての補正係数を算出し、補正手段は、各領域についての補正係数を用いて各領域の画素に対する映像信号を補正する。
【００１５】
上記具体的構成においては、表示パネルの表示領域が複数の領域に分割され、領域毎に補正係数が算出される。
先ず、前記複数の領域の内、１つの領域を補正係数算出領域として、該領域以外の領域の画素に対する映像信号の値が該画素の表示素子に供給される駆動電流の大きさが零となる所定値、例えば零に設定される。この結果、補正係数算出領域のみの画素の表示素子に駆動電流が供給されて、補正係数算出領域のみに映像が表示されることになる。このとき、積算手段の積算動作が実行された後、換算手段の換算動作が実行されて、前記補正係数算出領域の各画素に流れるべき電流の合計値が得られる。又、電流測定手段の測定動作が実行されて、前記補正係数算出領域の画素に流れた電流の総量が得られる。
ここで、補正係数算出領域に配置された画素の温度変化や経時変化による電流変化量は、上述の如く換算手段から得られた換算値と電流測定手段から得られた測定値の差として把握することが出来る。そこで、補正係数算出手段によって、これらの換算値及び測定値に基づき該領域についての補正係数が算出される。以下同様にして、他の領域についての補正係数が順次算出される。この様にして、各領域についての補正係数が算出され、各領域についての補正係数を用いて各領域の画素に対する映像信号が補正される。
上記具体的構成によれば、画素の位置に拘わらず、温度変化や経時変化に応じた適切な補正を映像信号に施すことが出来る。
【００１６】
更に具体的には、３原色の色毎に補正係数を算出することが可能であって、前記映像信号設定手段は、３原色を順次、補正係数算出色として、前記補正係数算出領域の画素の内、該色以外の２色の画素に対する映像信号の値を前記所定値に設定し、前記演算処理手段の補正係数算出手段は、各色についての補正係数を算出し、補正手段は、各色についての補正係数を用いて各色の画素に対する映像信号を補正する。
【００１７】
上記具体的構成においては、領域毎に、且つ３原色の色毎に補正係数が算出される。
上記具体的構成においては、上述の如く補正係数算出領域以外の領域の画素に対する映像信号の値が前記所定値に設定されると共に、３原色の１色を補正係数算出色として、補正係数算出領域の画素の内、補正係数算出色以外の画素に対する映像信号の値が前記所定値に設定される。この結果、補正係数算出領域の画素の内、補正係数算出色の画素の表示素子に駆動電流が供給されて、該領域のみに該色のみの画素によって映像が表示されることになる。このとき、積算手段の積算動作が実行された後、換算手段の換算動作が実行されて、前記補正係数算出領域の画素の内、補正係数算出色の各画素に流れるべき電流の合計値が得られる。又、電流測定手段の測定動作が実行されて、前記補正係数算出領域の画素の内、補正係数算出色の画素に流れた電流の総量が得られる。
ここで、補正係数算出領域の画素の内、補正係数算出色の画素の温度変化や経時変化による電流変化量は、上述の如く換算手段から得られた換算値と電流測定手段から得られた測定値の差として把握することが出来る。そこで、補正係数算出手段によって、これらの換算値と測定値に基づき該色についての補正係数が算出される。以下同様にして、他の２色についての補正係数が順次算出される。この様にして、各領域の各色についての補正係数が算出され、各補正係数を用いて各領域の各色の画素に対する映像信号が補正される。
【００１８】
更に又、具体的には、前記制御装置は更に、色毎に映像信号の積算値と電流の合計値の関係が規定されている関係手段を具えており、前記換算手段は、関係手段に規定されている関係の内、補正係数算出色についての関係に従って、映像信号の積算値を電流の合計値に換算する。
【００１９】
上記具体的構成においては、関係手段に規定されている３つの関係の内、補正係数算出色についての関係に従って、映像信号の積算値が電流の合計値に換算されるので、該色の画素の発光効率に応じた正確な換算値を得ることが出来る。従って、画素の色に拘わらず、温度変化や経時変化に応じた適切な補正を映像信号に施すことが出来る。
【００２０】
又、他の具体的構成においては、表示パネルの表示領域を複数の領域に分割し、領域毎に補正係数を算出することが可能であって、前記制御装置は、これら複数の領域を順次、補正係数算出領域として、該領域の画素に対する映像信号の値を該画素の表示素子に供給される駆動電流の大きさが零或いは任意の所定値となる値に設定する動作を実行する映像信号設定手段を具えており、映像信号設定手段が設定動作を実行したとき及び設定動作を停止しているときに、積算手段は前記積算動作を実行すると共に電流測定手段は前記測定動作を実行する。前記演算処理手段は、更に、
映像信号設定手段が設定動作を停止しているときに得られた換算値から映像信号設定手段が設定動作を実行したときに得られた換算値を減算する第１減算手段と、
映像信号設定手段が設定動作を停止しているときに得られた測定値から映像信号設定手段が設定動作を実行したときに得られた測定値を減算する第２減算手段
とを具えている。そして、補正係数算出手段は、第１減算手段の減算結果と第２減算手段の減算結果とに基づいて各領域についての補正係数を算出し、補正手段は、各領域についての補正係数を用いて各領域の画素に対する映像信号を補正する。
【００２１】
上記具体的構成においては、表示パネルの表示領域を複数の領域に分割し、領域毎に補正係数が算出される。
先ず、前記複数の領域の内、１つの領域を補正係数算出領域として、該領域の画素に対する映像信号の値が該画素の表示素子に供給される駆動電流の大きさが例えば零となる値に設定される。この結果、補正係数算出領域以外の領域に配置された画素の表示素子に駆動電流が供給されて、補正係数算出領域以外の領域に映像が表示されることになる。このとき、積算手段の積算動作が実行された後、換算手段の換算動作が実行されて、補正係数算出領域以外の領域の各画素に流れるべき電流の合計値が得られる。又、電流測定手段の測定動作が実行されて、前記補正係数算出領域以外の領域の画素に流れた電流の総量が得られる。
又、映像信号設定手段が上述の設定動作を停止しているときに、積算手段の積算動作が実行された後、換算手段の換算動作が実行されて、表示パネルの全領域の各画素に流れるべき電流の合計値が得られる。又、電流測定手段の測定動作が実行されて、表示パネルの全領域の画素に流れた電流の総量が得られる。
【００２２】
前記補正係数算出領域の各画素に流れるべき電流の合計値は、上述の如く映像信号設定手段が設定動作を停止しているときに得られた換算値と該動作を実行したときに得られた換算値の差として把握することが出来る。又、前記補正係数算出領域の画素に流れた電流の総量は、映像信号設定手段が設定動作を停止しているときに得られた測定値と該動作を実行したときに得られた測定値との差として把握することが出来る。そこで、第１減算手段によって、前記補正係数算出領域の各画素に流れるべき電流の合計値が算出されると共に、第２減算手段によって、前記補正係数算出領域の画素に流れた電流の総量が算出される。
ここで、補正係数領域に配置された画素の温度変化や経時変化による電流変化量は、第１減算手段の減算結果と第２減算結果の減算結果の差として把握することが出来る。そこで、補正係数算出手段によって、これらの減算結果に基づき該領域についての補正係数が算出される。以下同様にして、他の領域についての補正係数が順次算出される。この様にして、各領域についての補正係数が算出され、各領域についての補正係数を用いて各領域の画素に対する映像信号が補正される。
上記具体的構成によれば、画素の位置に拘わらず、温度変化や経時変化に応じた適切な補正を映像信号に施すことが出来る。
【００２３】
又、具体的には、３原色の色毎に補正係数を算出することが可能であって、前記映像信号設定手段は、３原色を順次、補正係数算出色として、前記補正係数算出領域の画素の内、該色の画素に対する映像信号の値を該画素の表示素子に供給される駆動電流の大きさが零或いは任意の所定値となる値に設定し、前記演算処理手段の補正係数算出手段は、各色についての補正係数を算出し、補正手段は、各色についての補正係数を用いて各色の画素に対する映像信号を補正する。
【００２４】
上記具体的構成においては、領域毎に、且つ３原色の色毎に補正係数が算出される。
上記具体的構成においては、第１減算手段の減算動作によって、補正係数算出領域の画素の内、補正係数算出色の各画素に流れるべき電流の合計値が得られる。又、第２減算手段の減算動作によって、補正係数算出領域の画素の内、補正係数算出色の画素に流れた電流の総量が得られる。
ここで、補正係数領域の画素の内、補正係数算出色の画素の温度変化や経時変化による電流変化量は、第１減算手段の減算結果と第２減算手段の減算結果の差として把握することが出来、補正係数算出手段によって、これらの減算結果に基づき該色についての補正係数が算出される。
【００２５】
更に具体的には、前記制御装置は、色毎に映像信号の積算値と電流の合計値の関係が規定されている関係手段を具えており、前記積算手段は、色毎に映像信号の値を積算し、前記換算手段は、色毎に、関係手段に規定されている関係に従って映像信号の積算値を電流の合計値に換算する。
【００２６】
上記具体的構成においては、色毎に、関係手段に規定されている関係に従って映像信号の積算値が電流の合計値に換算されるので、色毎に画素の発光効率に応じた正確な換算値を得ることが出来る。従って、画素の色に拘わらず、温度変化や経時変化に応じた適切な補正を映像信号に施すことが出来る。
【００２７】
更に又、具体的には、前記映像信号設定手段は、映像信号のフレーム周期よりも長い周期で前記設定動作を実行する。
【００２８】
表示素子の温度変化や経時変化は遅いため、映像信号のフレーム周期と同じ周期で新たな補正係数を算出する必要はなく、フレーム周期よりも長い周期で算出される補正係数を用いることによって、温度変化や経時変化に応じた適切な補正を映像信号に施すことが出来る。そこで、上記具体的構成においては、映像信号設定手段の設定動作の周期が上述の周期に設定される。
上記具体的構成によれば、画面のちらつきを抑制することが出来る。
【００２９】
本発明に係る第２の表示装置は、複数の画素を配列して構成される表示パネルと、外部から供給される映像信号に応じたデータ電圧或いはデータ電流を表示パネルの各画素に供給する制御装置とを具え、表示パネルの各画素には、電流の供給を受けて発光する表示素子と、制御装置からのデータ電圧或いはデータ電流に応じた駆動電流を表示素子に供給する駆動手段とが配備されている。そして、前記制御装置は、
表示パネルの各画素に対する映像信号の値から表示パネルの各画素に流れるべき電流の合計値を導出する導出手段と、
表示パネルの複数の画素に流れた電流の総量を測定する電流測定手段と、
導出手段から得られた導出値と電流測定手段から得られた測定値とに基づき制御信号を作成して出力する制御手段と、
前記制御手段から出力された制御信号に応じて映像信号とデータ電圧或いはデータ電流の関係を変更し、変更後の関係に従って、外部からの映像信号に応じたデータ電圧或いはデータ電流を表示パネルの各画素に供給するデータ電圧／電流供給手段
とを具えている。
【００３０】
上記本発明に係る第２の表示装置においては、制御手段によって、データ電圧/電流供給手段に対する制御信号が作成される。
ここで、表示素子の温度変化や経時変化による電流変化量は、導出手段によって映像信号の値から理論的に導出される電流の合計値と電流測定手段によって実際に測定される電流の総量の差として把握することが出来る。従って、制御手段によって、温度変化や経時変化に応じた制御信号が作成されることになる。
この様にして作成された制御信号がデータ電圧／電流供給手段に供給されて、映像信号とデータ電圧或いはデータ電流の関係が変更され、変更後の関係に従い映像信号に応じたデータ電圧或いはデータ電流が各画素に供給されて、該データ電圧或いはデータ電流に応じた駆動電流が表示素子に供給される。この結果、表示素子は、温度変化や経時変化に拘わらず、一定の輝度で発光することになる。
【発明の効果】
【００３１】
本発明に係る表示装置によれば、表示素子の温度変化や経時変化に拘わらず、一定の発光輝度を得ることが出来る。
【発明を実施するための最良の形態】
【００３２】
以下、本発明を有機ＥＬ表示装置に実施した形態につき、２つの実施例に基づいて具体的に説明する。
第１実施例
図１は、本実施例の有機ＥＬ表示装置を表わしている。
ＴＶ受信機等の映像ソースから供給される映像信号は、図示省略するＡ／Ｄコンバータを経てデジタルデータに変換された後、比較／演算部(１)に供給されて映像表示に必要な信号処理及び後述の補正処理が施される。これによって得られるＲＧＢ３原色の映像データが駆動ＩＣ(２)へ出力され、該データに応じたデータ電圧が有機ＥＬディスプレイ(３)の各画素に供給される。各画素では、該データ電圧に応じた駆動電流が有機ＥＬ素子に供給されて、有機ＥＬ素子が発光する。
【００３３】
本実施例の有機ＥＬ表示装置は、有機ＥＬディスプレイ(３)の表示領域を図３に破線で示す如く複数の領域に分割して、領域毎に且つＲＧＢ３原色の色毎に映像データに対し補正を施すことが可能であって、前記比較／演算部(１)は、該補正に用いる補正ゲインを算出するために後述のデータ変更動作を実行する。
即ち、先ず１フレーム分の入力データの内、第１領域以外の領域の画素に対する映像データ及び第１領域のＧとＢの画素に対する映像データを零の値に変更する。この結果、有機ＥＬディスプレイ(３)の第１領域に配置された画素の内、Ｒのみの画素に電流が流れて、図４(ａ)に示す如く第１領域にのみＲのみの画素によって映像が表示されることになる。次に、１フレーム分の入力データの内、第１領域以外の領域の画素に対する映像データ及び第１領域のＲとＢの画素に対する映像データを零の値に変更する。この結果、有機ＥＬディスプレイ(３)の第１領域に配置された画素の内、Ｇのみの画素に電流が流れて、第１領域にのみＧのみの画素によって映像が表示されることになる。続いて、１フレーム分の入力データの内、第１領域以外の領域の画素に対する映像データ及び第１領域のＲとＧの画素に対する映像データを零の値に変更する。この結果、有機ＥＬディスプレイ(３)の第１領域に配置された画素の内、Ｂのみの画素に電流が流れて、第１領域にのみＢのみの画素によって映像が表示されることになる。その後、同様にして、同図(ｂ)に示す如く第２領域にのみ各色の画素によって順次映像が表示される。続いて、第３領域から最終領域の各領域に各色の画素によって順次映像が表示された後、再び第１領域のみに各色の画素によって順次映像が表示される。この様にして、第１領域から最終領域の各領域に各色の画素によって繰り返し映像が表示される。
映像信号のフレーム周期は、例えば１／６０秒に設定されており、比較／演算部(１)は、該フレーム周期よりも長い１秒の周期で上述のデータ変更動作を実行する。従って、この場合、図４(ａ)(ｂ)に示す如きフレーム映像は６０枚のフレーム映像の中に１枚の割合で含まれることになる。
【００３４】
図１に示す有機ＥＬディスプレイ(３)の各画素を流れてコネクタ部(図示省略)に流れ込んだ電流は、Ａ／Ｄコンバータ(図示省略)を内蔵する電流モニタ部(４)に供給される。電流モニタ部(４)では、各画素を流れた電流の合計値が算出され、その算出結果は前記比較／演算部(１)に供給される。
又、上述の如く比較／演算部(１)によって値が変更されたＲＧＢの映像データは、映像信号積算部(６)に供給される。ＲＧＢの映像データは夫々、図２に示すＲ映像積算部(61)、Ｇ映像積算部(63)及びＢ映像積算部(65)に供給されて、１フレーム分だけ積算される。
Ｒ映像積算部(61)、Ｇ映像積算部(63)及びＢ映像積算部(65)には夫々、映像データの値と画素に流れる電流の関係が規定されたルックアップテーブル(62)(64)(66)が接続されており、各映像積算部は、各ルックアップテーブルを参照することによって、各色の画素に対する映像データの積算値を各色の画素に流れるべき電流の合計値に換算する。換算結果は、図１に示す前記比較／演算部(１)に供給される。
【００３５】
有機ＥＬ素子の温度変化や経時変化による電流変化量は、上述の如く電流モニタ部(４)によって実際に測定される電流の総量と、映像信号積算部(６)によって映像データの積算値から理論的に導出される電流の合計値の差として把握することが出来る。
そこで、比較／演算部(１)では、映像信号積算部(６)の換算結果Ｂを電流モニタ部(４)の算出結果Ａで除算することによって補正ゲイン(Ｂ／Ａ)が算出される。その後、入力データに該補正ゲインを乗算することによって、入力データに補正が施される。
例えば有機ＥＬ素子の温度が上昇した場合には、図５に示す如く電流モニタ部(４)の算出結果Ａが映像積算部(６)の換算結果Ｂを上回ることとなって、補正ゲイン(Ｂ／Ａ)は１よりも小さくなり、図６に示す如く入力データＸは、該データよりも小さなデータ[Ｘ・(Ｂ／Ａ)]に補正される。
この様にして、入力データが有機ＥＬ素子の温度変化や経時変化に応じて補正され、補正後のデータが駆動ＩＣ(２)に供給される。これによって、該データに応じたデータ電圧が有機ＥＬディスプレイ(３)の画素に供給されて、該データ電圧に応じた駆動電流が有機ＥＬ素子に供給される。この結果、有機ＥＬ素子は、温度変化や経時変化に拘わらず、一定の輝度で発光することになる。
【００３６】
上述の補正ゲインは、有機ＥＬディスプレイ(３)に図４(ａ)(ｂ)に示す如きフレーム映像が表示されたときに算出される。
図４(ａ)に示す如く第１領域にのみＲのみの画素によって映像が表示されたときには、映像信号積算部(６)から第１領域のＲの各画素に流れるべき電流の合計値が得られると共に、電流モニタ部(４)から第１領域のＲの各画素に流れた電流の合計値が得られる。ここで、第１領域に配置されたＲの画素の温度変化や経時変化による電流変化量は、上述の如く電流モニタ部(４)から得られる値と映像信号積算部(６)から得られる値の差として把握することが出来る。従って、比較・演算部(１)では、第１領域のＲの画素についての補正ゲインが得られることになる。
その後、第１領域にのみＧのみの画素によって映像が表示されたときには、第１領域のＧの画素についての補正ゲイン、第１領域にのみＢのみの画素によって映像が表示されたときには第１領域のＢの画素についての補正ゲイン、同図(ｂ)に示す如く第２領域にのみＲの画素によって映像が表示されたときには第２領域のＲの画素についての補正ゲイン・・・と、各領域の各色についての補正ゲインが順次得られることになる。
この様にして得られる各領域の各色についての補正ゲインが各領域の各色の画素に対する映像データに乗算されて、領域毎に且つ色毎に映像データが補正されることになる。
【００３７】
本実施例の有機ＥＬ表示装置においては、上述の如く有機ＥＬ素子の温度変化や経時変化に応じて各画素に対する映像データを補正することによって、温度変化や経時変化に拘わらず、一定の発光輝度を得ることが出来る。
【００３８】
尚、上記実施例においては、有機ＥＬディスプレイ(３)の表示領域を複数の領域に分割して、各領域の各色についての補正ゲインを算出しているが、有機ＥＬディスプレイ(３)の表示領域を複数の領域に分割することなく各色についての補正ゲインを算出する構成を採用することも可能である。
又、有機ＥＬディスプレイ(３)の表示領域を複数の領域に分割することなく各色についての補正ゲイン(Ｂ／Ａ)を算出し、図７に示す如く、温度変化の大きい画面中央部の画素に対する映像データには、該補正ゲイン(Ｂ／Ａ)を乗算するのに対して、温度変化の小さい外周部の画素に対する映像データには、該補正ゲイン(Ｂ／Ａ)に係数α(α＞１)を乗算して得られる新たな補正ゲインを乗算する構成を採用することも可能である。
又、映像データの積算値から各画素に流れるべき電流の合計値を導出する際、各領域の配線抵抗による電圧降下を加味すれば、精度の高い導出値を得ることが出来る。
又、領域毎に算出した補正ゲインに対し重み付け係数を用いた加重処理を施すことによって、互いに隣接する２つの領域の境界近傍で補正ゲインを滑らかに変化させることも可能である。これによって、互いに隣接する２つの領域の境界で輝度差が生じることを防止することが出来る。
更に、上記実施例においては、本発明を、駆動ＩＣ(２)から有機ＥＬディスプレイ(３)にデータ電圧を供給する有機ＥＬ表示装置に実施しているが、データ電流を供給する有機ＥＬ表示装置に実施することも可能である。
【００３９】
更に又、上記実施例においては、例えば第１領域のＲの画素についての補正ゲインを算出する際には、図４(ａ)に示す如く第１領域にのみＲのみの画素によって映像を表示して、第１領域のＲの各画素に流れた電流の合計値Ａを算出すると共に、映像データの積算値から第１領域のＲの各画素に流れるべき電流の合計値Ｂを導出しているが、後述の手順でこれらの値Ａ、Ｂを得る構成を採用することも可能である。
即ち、図８(ａ)に示す如く有機ＥＬディスプレイ(３)の表示領域の全領域にＲＧＢの画素によって映像が表示されたとき、全領域の各画素に流れた電流の合計値Ａ０を算出すると共に、映像データの積算値から全領域の各画素に流れるべき電流の合計値Ｂ０を導出する。その後、同図(ｂ)に示す如く、第１領域のＲの画素に対する映像データを零の値に変更することによって第１領域のＲの画素以外の画素により映像を表示し、第１領域のＲの画素以外の各画素に流れた電流の合計値Ａ１を算出すると共に、映像データの積算値から第１領域のＲの画素以外の各画素に流れるべき電流の合計値Ｂ１を導出する。その後、全領域の各画素に流れた電流の合計値Ａ０から第１領域のＲの画素以外の各画素に流れた電流の合計値Ａ１を減算する。これによって、図８(ａ)に示す如く全領域にＲＧＢの画素によって映像が表示されたときに第１領域のＲの各画素に流れた電流の合計値Ａ(Ａ＝Ａ０−Ａ１)を得ることが出来る。又、全領域の各画素に流れるべき電流の合計値Ｂ０から第１領域のＲの画素以外の各画素に流れるべき電流の合計値Ｂ１を減算する。これによって、同図(ａ)に示す如く全領域にＲＧＢの画素によって映像が表示されたときに第１領域のＲの各画素に流れるべき電流の合計値Ｂ(Ｂ＝Ｂ０−Ｂ１)を得ることが出来る。
その後、第２領域のＲの画素についての補正ゲインを算出する際には、同図(ｃ)に示す如く、第２領域のＲの画素以外の画素によって映像を表示し、上記同様にして、第２領域のＲの各画素に流れた電流の合計値Ａ、及び第２領域のＲの各画素に流れるべき電流の合計値Ｂを得ることが出来る。
上記構成によれば、補正ゲインを算出する際、補正ゲインを算出する領域のみの有機ＥＬ素子が消灯状態に設定されて該領域のみが図８(ｂ)(ｃ)に示す如く暗くなるので、画面のちらつきが抑制される。
尚、上記構成においては、例えば第１領域のＲの画素についての補正ゲインを算出する際に、該領域のＲの画素に対する映像データを零の値に変更しているが、任意の所定値に変更する構成を採用することも可能である。
【００４０】
第２実施例
第１実施例の有機ＥＬ表示装置は、温度変化や経時変化に応じて映像データに補正を施すものであるが、本実施例の有機ＥＬ表示装置は、映像データとデータ電圧の関係を変更するものである。
図９は、本実施例の有機ＥＬ表示装置を表わしており、ＴＶ受信機等の映像ソースから供給される映像信号は、図示省略するＡ／Ｄコンバータを経てデジタルデータに変換された後、比較／演算部(10)に供給されて映像表示に必要な信号処理が施される。これによって得られるＲＧＢ３原色の８ビット長の映像データが駆動ＩＣ(20)へ出力される。駆動ＩＣ(20)は、後述の如く比較／演算部(10)から得られる制御信号に基づいて映像データとデータ電圧の関係を変更し、変更後の関係に従って、映像データに応じたデータ電圧を有機ＥＬディスプレイ(３)の各画素に供給する。各画素では、該データ電圧に応じた駆動電流が有機ＥＬ素子に供給されて、有機ＥＬ素子が発光する。
【００４１】
本実施例の有機ＥＬ表示装置において、前記比較／演算部(10)は、駆動ＩＣ(20)に対する制御信号を作成するために後述のデータ変更動作を実行する。
即ち、先ず１フレーム分の入力データの内、ＧとＢの画素に対するデータを零の値に変更する。この結果、有機ＥＬディスプレイ(３)のＲのみの画素に電流が流れて、Ｒのみの画素によって映像が表示されることになる。次に、１フレーム分の入力データの内、ＲとＢの画素に対するデータを零の値に変更する。この結果、有機ＥＬディスプレイ(３)のＧのみの画素に電流が流れて、Ｇのみの画素によって映像が表示されることになる。続いて、１フレーム分の入力データの内、ＲとＧの画素に対するデータを零の値に変更する。この結果、有機ＥＬディスプレイ(３)のＢのみの画素に電流が流れて、Ｂのみの画素によって映像が表示されることになる。その後、再びＲのみの画素によって映像が表示される。この様にして、ＲＧＢの各画素によって繰り返し映像が表示される。
映像信号のフレーム周期は、例えば１／６０秒に設定されており、比較／演算部(10)は、該フレーム周期よりも長い１秒の周期で上述のデータ変更動作を実行する。
【００４２】
有機ＥＬディスプレイ(３)の各画素を流れてコネクタ部(図示省略)に流れ込んだ電流は、Ａ／Ｄコンバータ(図示省略)を内蔵する電流モニタ部(４)に供給される。電流モニタ部(４)では、各画素を流れた電流の合計値が算出され、その算出結果は前記比較／演算部(10)に供給される。
又、上述の如く比較／演算部(10)から出力されたＲＧＢの映像データは、映像信号積算部(60)に供給される。ＲＧＢの映像データは夫々、図１０に示すＲ映像積算部(67)、Ｇ映像積算部(68)及びＢ映像積算部(69)に供給されて、１フレーム分だけ積算される。
映像信号積算部(60)には、ルックアップテーブル(７)が接続されている。該ルックアップテーブル(７)は、映像データの値とＲの画素に流れる電流の関係が規定されたＲ用ルックアップテーブル(71)と、映像データの値とＧの画素に流れる電流の関係が規定されたＧ用ルックアップテーブル(72)と、映像データの値とＢの画素に流れる電流の関係が規定されたＢ用ルックアップテーブル(73)とから構成されており、各映像積算部は、各ルックアップテーブルを参照することによって、各色の画素に対する映像データの積算値を各色の画素に流れるべき電流の合計値に換算する。換算結果は、前記比較／演算部(10)に供給される。
【００４３】
有機ＥＬ素子の温度変化や経時変化による電流変化量は、上述の如く電流モニタ部(４)によって実際に測定される電流の総量と、映像信号積算部(60)によって映像データの積算値から理論的に導出される電流の合計値の差として把握することが出来る。
そこで、比較／演算部(10)では、映像信号積算部(60)の換算結果Ｂを電流モニタ部(４)の算出結果Ａで除算することによって係数(Ｂ／Ａ)が算出される。その後、そのときのリファレンス電圧Ｒe、即ち映像データの値が最大値２５５であるときのデータ電圧に該係数が乗算され、これによって得られる値[Ｒe・(Ｂ／Ａ)]を新たなリファレンス電圧とすべき旨の制御信号が作成されて、駆動ＩＣ(20)に供給される。
【００４４】
駆動ＩＣ(20)は、ＲＧＢ３原色の色毎に、図１１に示す回路構成のＤ／Ａ変換回路(21)を具えている。
該Ｄ／Ａ変換回路(21)においては、２５７個の抵抗素子Ｒが互いに直列に接続されており、一方の端部に配置された抵抗素子には、リファレンス電圧が印加されるべき電圧入力端子(22)が接続され、他方の端部に配置された抵抗素子は接地されている。
抵抗素子Ｒどうしの連結点からは２５６本の電圧供給線(23)が引き出され、これらの電圧供給線(23)は増幅器(24)を介して電圧出力端子(25)に接続されている。電圧出力端子(25)は、有機ＥＬディスプレイの各画素に接続されている。
各電圧供給線(23)にはスイッチング素子ＳＷが介在する。２５６個のスイッチング素子ＳＷには、デコーダ(26)が接続されており、これらのスイッチング素子ＳＷはデコーダ(26)によってオン／オフ制御される。
【００４５】
Ｄ／Ａ変換回路(21)においては、上述の如く比較／演算部(10)から供給された制御信号に応じて、電圧入力端子(22)に印加されるリファレンス電圧が変更される。
前記２５６個のスイッチング素子には、映像データの値の範囲である０〜２５５の番号が割り当てられており、デコーダ(26)は、比較／演算部(10)から供給された８ビットの映像データをデコードし、２５６個のスイッチング素子ＳＷの中から、そのデコード結果に応じた番号が割り当てられている１つのスイッチング素子をオンに設定する。この結果、電圧入力端子(22)に印加されているリファレンス電圧が前記映像データに応じて分圧され、分圧された電圧が増幅器(23)によって増幅された後、電圧出力端子(24)から有機ＥＬディスプレイの画素に供給される。
この様にして、温度変化や経時変化に応じて映像データとデータ電圧の関係が変更され、変更後の関係に従い映像データに応じたデータ電圧が有機ＥＬディスプレイの画素に印加されて、該データ電圧に応じた駆動電流が有機ＥＬ素子に供給される。この結果、有機ＥＬ素子は、温度変化や経時変化に拘わらず、一定の輝度で発光することになる。
【００４６】
例えば有機ＥＬ素子の温度が上昇した場合には、図５に示す如く電流モニタ部(４)の算出結果Ａが映像積算部(60)の換算結果Ｂを上回ることとなって、係数(Ｂ／Ａ)は１よりも小さくなる。従って、リファレンス電圧は、図１２に示す如く、そのときの値Ｒｅよりも小さな値[Ｒe・(Ｂ／Ａ)]に設定されることとなり、これによって、図１３に示す如くリファレンス電圧の変更前のデータ電圧Ｖよりも小さな電圧[Ｖ・(Ｂ／Ａ)]が駆動ＩＣ(20)から有機ＥＬディスプレイ(３)の画素に供給されることになる。
【００４７】
駆動ＩＣ(20)に対する上述の制御信号は、有機ＥＬディスプレイ(３)にＲのみの画素によって映像が表示されたとき、Ｇのみの画素によって映像が表示されたとき、及びＢのみの画素によって映像が表示されたときに作成される。
有機ＥＬディスプレイ(３)にＲのみの画素によって映像が表示されたときには、映像信号積算部(60)からＲの各画素に流れるべき電流の合計値が得られると共に、電流モニタ部(４)からＲの各画素に流れた電流の合計値が得られる。ここで、Ｒの画素の温度変化や経時変化による電流変化量は、上述の如く電流モニタ部(４)から得られる値と映像信号積算部(60)から得られる値の差として把握することが出来る。従って、比較／演算部(10)では、Ｒの画素に対するリファレンス電圧として設定すべき値が算出され、該算出値をＲの画素に対する新たなリファレンス電圧とすべき旨の制御信号が作成されることになる。
その後、有機ＥＬディスプレイ(３)にＧのみの画素によって映像が表示されたときには、Ｇの画素に対するリファレンス電圧として設定すべき値が算出され、該算出値をＧの画素に対する新たなリファレンス電圧とすべき旨の制御信号が作成されることになる。更に、有機ＥＬディスプレイ(３)にＢのみの画素によって映像が表示されたときには、Ｂの画素に対するリファレンス電圧として設定すべき値が算出され、該算出値をＢの画素に対する新たなリファレンス電圧とすべき旨の制御信号が作成されることになる。
この様にして得られる各色についての制御信号が駆動ＩＣ(21)に供給されて、色毎にリファレンス電圧が変更されることになる。
【００４８】
本実施例の有機ＥＬ表示装置においては、上述の如く有機ＥＬ素子の温度変化や経時変化に応じてリファレンス電圧を変更することによって、温度変化や経時変化に拘わらず、一定の発光輝度を得ることが出来る。
【００４９】
尚、上記実施例においては、図９に示す如く映像信号積算部(60)にルックアップテーブル(７)が接続され、映像信号積算部(60)が映像データの積算値を電流の合計値に換算しているが、図１４に示す如く比較／演算部(11)にルックアップテーブル(70)を接続し、比較／演算部(11)が、該ルックアップテーブル(70)を参照することによって、映像信号積算部(70)から得られる積算値を電流の合計値に換算する構成を採用することも可能である。
又、上記実施例においては、本発明を、駆動ＩＣ(20)から有機ＥＬディスプレイ(３)にデータ電圧を供給する有機ＥＬ表示装置に実施しているが、データ電流を供給する有機ＥＬ表示装置に実施することも可能である。この場合、駆動ＩＣ(20)では、有機ＥＬ素子の温度変化や経時変化に応じて映像データとデータ電流の関係が変更される。
【００５０】
又、上記実施例においては、例えばＲの画素についての制御信号を作成する際には、有機ＥＬディスプレイ(３)にＲのみの画素によって映像を表示して、Ｒの各画素に流れた電流の合計値Ａを算出すると共に、映像データの積算値からＲの各画素に流れるべき電流の合計値Ｂを導出しているが、後述の手順でこれらの値Ａ、Ｂを得る構成を採用することも可能である。
即ち、有機ＥＬディスプレイ(３)にＲＧＢの画素によって映像が表示されたとき、ＲＧＢの各画素に流れた電流の合計値Ａ０を算出すると共に、映像データの積算値からＲＧＢの各画素に流れるべき電流の合計値Ｂ０を導出する。
その後、Ｒの画素に対する映像データを零の値に変更することによってＧとＢの画素により映像を表示し、ＧとＢの各画素に流れた電流の合計値Ａ１を算出すると共に、映像データの積算値からＧとＢの各画素に流れるべき電流の合計値Ｂ１を導出する。その後、ＲＧＢの各画素に流れた電流の合計値Ａ０からＧとＢの各画素に流れた電流の合計値Ａ１を減算する。これによって、ＲＧＢの画素によって映像が表示されたときにＲの各画素に流れた電流の合計値Ａ(Ａ＝Ａ０−Ａ１)を得ることが出来る。又、ＲＧＢの各画素に流れるべき電流の合計値Ｂ０からＧとＢの各画素に流れるべき電流の合計値Ｂ１を減算する。これによって、ＲＧＢの画素によって映像が表示されたときにＲの各画素に流れるべき電流の合計値Ｂ(Ｂ＝Ｂ０−Ｂ１)を得ることが出来る。
尚、上記構成においては、例えばＲの画素についての制御信号を作成する際に、Ｒの画素に対する映像データを零の値に変更しているが、任意の所定値に変更する構成を採用することも可能である。
【００５１】
更に、第１実施例及び第２実施例においては、本発明を、有機ＥＬ表示装置に実施しているが、温度変化や経時劣化によって流れる電流が変化する表示素子を具え、該表示素子に流れる電流を測定することが可能な周知の種々の表示装置に実施することが可能である。
【図面の簡単な説明】
【００５２】
【図１】第１実施例の有機ＥＬ表示装置の構成を示すブロック図である。
【図２】該有機ＥＬ表示装置における映像信号積算部の構成を示すブロック図である。
【図３】有機ＥＬディスプレイに表示される画面例を表わす図である。
【図４】補正ゲインを算出するために有機ＥＬディスプレイに表示される画面例を表わす図である。
【図５】映像データと有機ＥＬ素子に流れる電流の関係を表わすグラフである。
【図６】上記有機ＥＬディスプレイにおける比較／演算部の入力データと出力データの関係を表わすグラフである。
【図７】画素の位置に応じて補正ゲインを変化させる比較／演算部の入力データと出力データの関係を表わすグラフである。
【図８】補正ゲインを算出するために有機ＥＬディスプレイに表示される他の画面例を表わす図である。
【図９】第２実施例の有機ＥＬ表示装置の構成を示すブロック図である。
【図１０】該有機ＥＬ表示装置における映像信号積算部及びルックアップテーブルの構成を示すブロック図である。
【図１１】該有機ＥＬ表示装置における駆動ＩＣのＤ／Ａ変換回路の回路構成を示す図である。
【図１２】有機ＥＬ素子に印加される電圧と有機ＥＬ素子に流れる電流の関係を表わすグラフである。
【図１３】映像データとデータ電圧の関係を表わすグラフである。
【図１４】比較／演算部に映像信号積算部及びルックアップテーブルが接続された構成を示すブロック図である。
【図１５】出願人の提案する有機ＥＬ表示装置における画素の回路構成を示す図である。
【図１６】該回路構成の動作を示す波形図である。
【図１７】トランジスタ特性と有機ＥＬ特性を示すグラフである。
【符号の説明】
【００５３】
(１)  比較／演算部
(２)  駆動ＩＣ
(３)  有機ＥＬディスプレイ
(４)  電流モニタ部
(６)  映像信号積算部
【図１】
2005107059.tif 000003
【図２】
2005107059.tif 000004
【図３】
2005107059.tif 000005
【図４】
2005107059.tif 000006
【図５】
2005107059.tif 000007
【図６】
2005107059.tif 000008
【図７】
2005107059.tif 000009
【図８】
2005107059.tif 000010
【図９】
2005107059.tif 000011
【図１０】
2005107059.tif 000012
【図１１】
2005107059.tif 000013
【図１２】
2005107059.tif 000014
【図１３】
2005107059.tif 000015
【図１４】
2005107059.tif 000016
【図１５】
2005107059.tif 000017
【図１６】
2005107059.tif 000018
【図１７】
2005107059.tif 000019